(57)【要約】【課題】オプション部品なしにクリップストラップを水に浮かす。【解決手段】クリップ２を有するストラップの本体たるストラップ部１を、比質量が十分小さい軽量心材５を心材とし、それをポリプロピレン繊維による編み込み品等である化粧外装部材４により被覆した構造とする。沈みやすいクリップ２がついているにもかかわらず、フロート等、大きなオプション品を使用することなく、ストラップ部１の浮力によってクリップストラップが水に浮く。【選択図】　　　　図３
2004033256.tif 000002
【特許請求の範囲】
【請求項１】
携帯電話等の機器に結ばれるストラップであって、
ひも状の外観を有するストラップ部の一端に、使用者の着衣等への固定のためのクリップを設けたクリップストラップにおいて、
上記ストラップ部が、ひも状の軽量心材と、この軽量心材をその略全長に亘り被覆する化粧外装部材とを有し、
上記軽量心材が、少なくともクリップストラップが海水又は淡水に浮くこととなるような比質量を有する素材によって、形成されていることを特徴とするクリップストラップ。
【発明の詳細な説明】
【０００１】
【発明の属する技術分野】
本発明は、携帯電話等の機器に結びつけて使用するストラップ、特に、使用者の着衣等への固定のためのクリップを有するクリップストラップに関する。
【０００２】
【従来の技術】
携帯電話等の機器に付属するアクセサリとしてストラップ類が周知である。ストラップはその名の通りひも（ｓｔｒａｐ）状のアクセサリであり、使用者の手首にかけられる程度の長さを有するハンドストラップ、使用者の首にかけられる程度或いは胴体にたすきがけできる程度の長さを有するネックストラップ等、様々な種類のストラップが製造・販売されている。これら、ストラップ類は、携帯電話等の機器に結びつけて使用されるものであり、それらの機器の取り扱いに当たっての利便性を著しく向上させると共に、それらの機器の外観を使用者の趣味にフィットさせる上でも有用である。
【０００３】
ストラップ類の中には、その機能によって特徴づけられているものがある。例えば、クリップストラップと一般に称されるストラップは、使用者の着衣等への固定のためのクリップを有するものであり、屋外で体を動かすとき等にはこの種のストラップが特に有用である。例えば、携帯電話にクリップストラップをつけておき、このクリップストラップの一端にあるクリップを着衣に止めておけば、多少激しく体を動かしても携帯電話は地面に落ちない。図１に、クリップストラップ、特にハンドストラップタイプのクリップストラップを示す。この図のストラップは、本体部分であるひも状のストラップ部１の一端に、クリップ２を設けた構成を有している。ストラップ部１は、図中の１ａ側からクリップ２装着部に至り（＝図中の１ｂの部分）そこで折り返して１ａ側に戻る（＝図中の１ｃの部分）ひもであり、例えばポリプロピレン繊維により編まれている。図中の１ａは携帯電話等に結びつけるためのより細いひもである。更に、クリップ２は金属、樹脂等により形成されている。
【０００４】
また、人間の屋外活動の場の一つとして「水際」、即ち海浜、川岸、船舶上等がある。水際においては、例えばストラップのクリップ２を着衣に止め忘れた等の原因で、携帯電話等の機器がそのストラップもろとも水面に落ちてしまうことがある。水面に落ちた機器がそのまま水中に沈んでしまうのを防ぐためには、水面に浮いた状態を保つのに十分な浮力を発生させる仕組みが必要である。従来から、水際で使用される携帯電話等の本体について、水分の侵入を抑える技術と併せて水中に沈んでしまわないようにする技術が開発されている（本願では説明を省略）。水際で使用されるストラップについても、従来から、浮力を発生させるフロート３がオプション部品として開発されている（図２参照）。特に、クリップストラップはクリップ２の重量によって水中に沈んでしまうためこのようなオプション部品が必須とされていた。
【０００５】
【発明が解決しようとする課題】
しかしながら、図２に示したフロート３は、往々にして大きな部品となってしまい、使用者が携帯電話等を持ち歩く際等、邪魔である。また、使用者によっては、美観を損ねるからフロート３を使用したくない、と感ずる者もあろう。本発明の目的は、水面に浮かぶのに十分な浮力を発生させるクリップストラップを提供すること、特にフロート３又はそれに類する大きな部材を必要としないクリップストラップを提供することにある。
【０００６】
【課題を解決するための手段】
このような目的を達成するために、本発明は、（１）携帯電話等の機器に結ばれるストラップであって、（２）ひも状の外観を有するストラップ部の一端に、使用者の着衣等への固定のためのクリップを設けたクリップストラップにおいて、（３）上記ストラップ部が、ひも状の軽量心材と、この軽量心材をその略全長に亘り被覆する化粧外装部材とを有し、（４）上記軽量心材が、少なくともクリップストラップが海水又は淡水に浮くこととなるような比質量を有する素材によって、形成されていることを特徴とする。従って、本発明においては、ストラップ部にて浮力が発生するため、フロート等、大きなオプション部品を使用する必要がない。その結果、持ち歩くときの利便性・取扱性、使用機器を含めた全体の美観等が改善・向上される。
【０００７】
【発明の実施の形態】
以下、本発明の好適な実施形態に関し図面に基づき説明する。また、記載の簡略化のため、以下の説明では、図１に示したハンドストラップタイプのクリップストラップに本発明を適用した例を示し、対応する部材には同一符号を付して重複説明を省略することとする。なお、これは、本発明の適用対象を限定する趣旨ではない。本発明は、ネックストラップにも適用できる。本発明は、携帯電話に限らず、カメラ、ペンライト等の機器向けのストラップにも適用できる。本発明は、水際で使用されることがある各種携帯型機器のストラップに適用したとき、顕著な効果をうむものである。
【０００８】
図３に、本発明の一実施形態に係るクリップストラップ、特にそのクリップ２近傍を拡大して示す。本実施形態に係るクリップストラップは、全体の外観としては、図１のものと同じ形状・寸法か、或いは図１のものに比べストラップ部１が若干厚い程度のものである。本実施形態の特徴は、このクリップストラップ単独で、即ちフロート３のようなオプション部品なしで、図４に示すように淡水或いは海水に浮かぶ、という点にある（携帯電話等の取付先機器６はそれ単体で十分な浮力を有するものとする）。フロート３又はそれに類するオプション部品を必要としないため、本実施形態では持ち歩きの際にオプション部品が邪魔になることがなく、またスマートな美観を保つことができる。
【０００９】
このような特徴的効果は、図３に示した構造によって生じている。図３（ａ）は通常時の外観を、（ｂ）は１ｂの断面を、それぞれ示している。なお、１ｃの部分も１ｂと同様の構造である。
【００１０】
図３（ｂ）に示されるように、本実施形態におけるストラップ部１は、軽量心材５を化粧外装部材４により被覆した構造、言い換えれば化粧外装部材４の芯に軽量心材５を組み込んだ構造を有している。軽量心材５は、例えば、比質量０．０３の素材により形成された幅７ｍｍ×長さ２００ｍｍ×厚み０．５ｍｍのひも状部材である。軽量心材５は、例えば、エアーフォーム（ａｉｒ　ｆｏａｍ）と称される高発泡ポリエチレンシートから、製造することができる。高発泡ポリエチレンシートは加工が容易であり、防湿性・防水性に優れ、柔軟で取り扱いやすい等の利点を有している。図では軽量心材５が１層であるが、複数枚の高発泡ポリエチレンシートを重ねて使用するようにしてもよい。軽量心材５に適するエアーフォームの一例としては、ミラマット（登録商標）或いはミラーマットという商品名で流通している緩衝材がある。ミラマットをはじめとするエアフォームは、梱包等の用途向けに大量生産されており、入手が容易で且つ安価である。
【００１１】
他方、化粧外装部材４は、例えば、従来におけるストラップ部１と同様、ポリプロピレン繊維による編み込み品とする。従って、外観、手触り等は、従来におけるストラップ部１とほぼ変わりない。また、本実施形態における化粧外装部材４は、軽量心材５をほぼその全長に亘り被覆する編み込み品である。そのため、化粧外装部材４と軽量心材５の間の空間には、化粧外装部材４の編み目を通って入り込んだ空気が捕らえられ、また化粧外装部材４の素材たる繊維と繊維の間にも空気が捕らえられる。これらの空気は浮力を増す要素である。但し、空気を絞り出した状態でも十分な浮力が得られるように、軽量心材５を素材選択・設計するのが望ましい。
【００１２】
このように、比質量の小さい素材により形成された軽量心材５をストラップ部１の芯に組み込んでいるため、従来におけるクリップストラップにて生じる浮力よりも大きな浮力が生じる。先に例示した素材を用いることによって、本実施形態における浮力は、図２に示したフロート３により生じる浮力と比肩しうる程度になる。従って、本実施形態に係るクリップストラップは、その一端に例えば２．６ｇほどもあるクリップ２を有しているにもかかわらず、図４に示すように、海水にも淡水にも浮かぶ。また、化粧外装部材４と軽量心材５の間や化粧外装部材４の繊維と繊維の間に入り込んだ空気によって、浮力は更に大きくなる。これらの効果は、クリップストラップの美観を損ねることなしに、得られる。そのために必要な材料コスト、製造コストも些少である。
【図面の簡単な説明】
【図１】ハンドストラップタイプのクリップストラップの外観を示す斜視図である。
【図２】オプション部品を使用してストラップを浮かす従来技術を示す斜視図である。
【図３】本発明の一実施形態に係るクリップストラップの構成を示す図であり、特に（ａ）はクリップ近傍の外観を示す斜視図、（ｂ）はストラップ部断面を示す断面図である。
【図４】この実施形態の効果を示す図である。
【符号の説明】
１　ストラップ部、２　クリップ、４　化粧外装部材、５　軽量心材。
【図１】
2004033256.tif 000003
【図２】
2004033256.tif 000004
【図３】
2004033256.tif 000005
【図４】
2004033256.tif 000006